(57)【要約】      （修正有）【課題】２種以上の外部機器を携帯電話機に同時に接続し得る携帯電話機用接続装置を提供する。【解決手段】２種以上の外部機器が接続される携帯電話機器のメス型コネクタに接続される装置であって、メス型コネクタに接続されるオス型コネクタ２と、オス型コネクタが直接又はケーブル４を介して設けられ、２種以上の外部機器がそれぞれ個別に接続される２つ以上のコネクタのうち選択された２つ以上のコネクタが設けられる接続装置本体３とを備える。【選択図】図２
0003175318.tif 000002
【実用新案登録請求の範囲】
【請求項１】
２種以上の外部機器が接続される携帯電話機器のメス型コネクタに接続される装置であって、
前記メス型コネクタに接続されるオス型コネクタと、
前記オス型コネクタが直接又はケーブルを介して設けられ、前記２種以上の外部機器がそれぞれ個別に接続される２つ以上のコネクタのうち選択された２つ以上のコネクタが設けられる接続装置本体とを備えたことを特徴とする携帯電話機用接続装置。
【請求項２】
前記２種以上の外部機器が、少なくとも、電気通信機械器具、電子応用機械器具、電子計算機、充電器、外部アンテナであり、
前記選択された２つ以上のコネクタが、少なくとも、前記電気通信機械器具、前記電子応用機械器具、前記電子計算機、前記充電器が接続される接続コネクタや音声コネクタ、及び前記外部アンテナが接続されるアンテナコネクタである請求項１に記載の携帯電話機用接続装置。
【請求項３】
前記音声コネクタが、ミニプラグが接続されるミニプラグ用コネクタと、標準プラグが接続される標準プラグ用コネクタと、平型プラグが接続される平型プラグ用コネクタとからなる請求項２に記載の携帯電話機用接続装置。
【考案の詳細な説明】
【技術分野】
【０００１】  本考案は、２種以上の外部機器を携帯電話機に同時に接続し得る携帯電話機用接続装置に関するものである。
【背景技術】
【０００２】  近年、携帯電話機は、急速に老若男女多数の人に使用されており、技術の発達と共に、多数の機能、例えばメールやインターネット等の機能が備わったものとなっている。携帯電話機の送受信の感度も技術の発達と共に良好になってきているが、建物、例えば自宅の部屋の中では、場所によって感度が良好とはいえない場所がある。つまり、部屋によっては、部屋の中が電波シールドされていて電波状況（感度）が良好とはいえない場所がある。その場合、感度が良好な状態で通話をするには、窓の近くに行ったり別の部屋に行ったりしなければならず面倒であった。【０００３】  携帯電話機の送受信の感度を良好にするものとして外部アンテナが知られている。外部アンテナのアンテナ本体を例えば窓ガラスに取り付けると共に、接続用コネクタを携帯電話機のメス型スコネクタに接続することにより、携帯電話機の送受信の感度を良好な状態とすることが可能となる。その結果、感度を気にすることなく通信や通話等を行うことができる。
【考案の開示】
【考案が解決しようとする課題】
【０００４】  前述のように、外部アンテナを接続すれば、携帯電話機の送受信の感度を良好にすることができるが、しかし、この場合、メス型コネクタが外部アンテナに使用されているために、携帯電話機を充電したり、イヤホンで音を聞いたり周りの音が大きい時に外部スピーカーで着信音を聞いたりすることなど他の外部機器を接続することができなかった。【０００５】  そこで、本考案は、このような実情に鑑みなされたものであり、その目的は、２種以上の外部機器を携帯電話機に同時に接続し得る携帯電話機用接続装置を提供することにある。
【課題を解決するための手段】
【０００６】  前記課題を解決するため、本考案に係る携帯電話機用接続装置は、２種以上の外部機器が接続される携帯電話機器のメス型コネクタに接続される装置であって、前記メス型コネクタに接続されるオス型コネクタと、前記オス型コネクタが直接又はケーブルを介して設けられ、前記２種以上の外部機器がそれぞれ個別に接続される２つ以上のコネクタのうち選択された２つ以上のコネクタが設けられる接続装置本体とを備えたことを特徴とする。【０００７】  このように、携帯電話機のメス型コネクタに接続されるオス型コネクタと、２種以上の外部機器がそれぞれ個別に接続される２つ以上のコネクタのうち選択された２つ以上のコネクタが設けられる接続装置本体とを備えたので、２種以上の外部機器を携帯電話機に同時に接続することが可能となる。
【考案の効果】
【０００８】  本考案によれば、２種以上の外部機器を携帯電話機に同時に接続し得る携帯電話機用接続装置を提供することができる。
【図面の簡単な説明】
【０００９】
【図１】  本考案に係る実施形態の携帯電話機用接続装置の一例を示す概略斜視図である。
【図２】  本実施形態の一例の携帯電話機用接続装置を示す分解斜視図である。
【考案を実施するための形態】
【００１０】  以下、本考案に係る携帯電話機用接続装置の実施形態を添付図面に基づいて説明する。図１及び図２に示すように、本実施形態の携帯電話機用接続装置１は、携帯電話機器２０のメス型コネクタに接続されるオス型コネクタ２と、オス型コネクタ２がケーブル４を介して設けられ、携帯電話機器２０のメス型コネクタに接続される２種以上の外部機器がそれぞれ個別に接続される２つ以上のコネクタのうち選択された２つ以上のコネクタが設けられる接続装置本体３とを備えている。
【００１１】  本実施形態の携帯電話機用接続装置１が接続される携帯電話機器２０としては、２種以上の外部機器が接続されるメス型コネクタを有していれば特に限定されない。２種以上の外部機器は、例えば、電気通信機械器具、電子応用機械器具、電子計算機、充電器、外部アンテナであることが好ましく、その他は特に限定されない。
【００１２】  充電器としては、携帯電話機器２０のメス型コネクタに接続して携帯電話機２０の充電を行えるものであれば特に限定されず、例えば、携帯電話機器２０に付属の携帯電話機用のＡＣアダプター２１、別売りのＡＣアダプター、車載用のＤＣアダプター、電池式ＤＣアダプター等が挙げられる。外部アンテナ２３としては、携帯電話機器２０の送受信の感度を良好にすることができるものであれば特に限定されない。音声機器としては、ヘッドフォン等のステレオフォン、イヤホン、マイクを有するヘッドセット、外部スピーカー及びその他のＡＶ機器等が挙げられる。
【００１３】  オス型コネクタ２は、携帯電話機器２０のメス型コネクタに接続されるコネクタ部２ａと、手で掴みコネクタ部２ａの携帯電話機器２０のメス型コネクタへの取り付け取り外しを行うコネクタ本体２ｂとからなる。コネクタ本体２ｂには、ケーブル４が接続されている。ケーブル２は、例えば、本実施形態では、電気信号用ケーブル４ａとアンテナ用ケーブル４ｂとからなるケーブル群である。電気信号用ケーブルは、４芯でも、５芯でも、６芯以上のものでもよく、図示例では４芯のものが用いられている。
【００１４】  オス型コネクタ２は、携帯電話機器２０のメス型コネクタに接続したとき、充電器例えばＡＣアダプター２１及び電気通信機械器具、電子応用機械器具、電子計算機例えばヘッドフォンを接続するためのメス型コネクタの端子に電気信号用ケーブル４ａが接続され、かつ、外部アンテナ２３を接続するためのメス型コネクタの端子にアンテナ用ケーブル４ｂが接続されるようになっている。ケーブル４は、接続装置本体３に接続されている。なお、オス型コネクタ２が接続装置本体３にケーブル４を介して接続されているが、これに限定されず、オス型コネクタを接続装置本体に直接接続するようにしてもよい。
【００１５】  接続装置本体３は、上面が蓋体６で開閉可能に覆われた直方体状のケース５を有している。ケース５の前面には、例えば、ケーブル４が挿通される挿通部５１が設けられている。ケース５の後面には、外部アンテナ２３にアンテナケーブル２５を介して接続されている接続用コネクタ２４が接続されるアンテナコネクタ１１が設けられている。アンテナコネクタ１１には、ケース５内でアンテナ用ケーブル４ｂが直接接続されている。アンテナコネクタ１１は、外部アンテナ２３を接続することができるものであれば特に限定されず、携帯電話機器２０のメス型コネクタと同じ形状のコネクタでもよいが、例えば、ＴＮＣコネクタで形成されている。
【００１６】  ケース５の一方の側面には、充電器、例えば、ＡＣアダプター２１の電源用コネクタ２２や、電気通信機械器具、電子応用機械器具、電子計算機の通信用コネクタ等がつなげられる接続コネクタ１２が設けられている。接続コネクタ１２は、特に限定されないが、例えば、携帯電話機器２０のメス型コネクタと同じ形状のメス型コネクタでもよいし、ＵＳＢコネクタでもよく、特に限定されない。
【００１７】  ケース５の他方の側面は、デジタルデータ機器やアナログ音声機器などの音声機器を接続するための音声コネクタが設けられる面である。音声コネクタは、デジタルデータ機器やアナログ音声機器などの音声機器を接続することができれば特に限定されず、例えば、イヤホンなどのミニプラグが接続されるミニプラグ用コネクタ１４と、ヘッドフォンやその他のＡＶ機器の標準プラグが接続される標準プラグ用コネクタ１５と、ハンズフリーフォンやその他のＡＶ機器の平型プラグが接続され平型プラグ用コネクタ１６との３つのコネクタのうちの１つ又は２つで形成されていてもよいが、これら３つのコネクタで形成されていることが好ましい。このため、ケース５の他方の側面には、ミニプラグ用穴５ａと、標準プラグ用コネクタ穴５ｂと、平型プラグ用コネクタ穴５ｃとが設けられている。なお、他の音声コネクタを接続装置本体３に設けるようにしてもよい。
【００１８】  また、ケース５内には、基板７が脱着可能に収納されている。基板７は、電気通信機械器具、電子応用機械器具、電子計算機、充電器などを携帯電話機２０に同時に接続し得るようにするものである。基板７は、電気信号用ケーブル４ａの例えば４芯が接続されており、オス型コネクタ２を携帯電話機２０のメス型コネクタに接続することで、電気通信機械器具、電子応用機械器具、電子計算機、充電器などを同時に使用し得るようになっている。また、基板７には、ミニプラグが接続されるミニプラグ用コネクタ１４と、標準プラグが接続される標準プラグ用コネクタ１５と、平型プラグが接続され平型プラグ用コネクタ１６とが設けられている。基板７は、ケース５に収納したとき、ミニプラグ用コネクタ１４、標準プラグ用コネクタ１５及び平型プラグ用コネクタ１６がそれぞれミニプラグ用穴５ａ、標準プラグ用コネクタ穴５ｂ及び平型プラグ用コネクタ穴５ｃを介してミニプラグ１４、標準プラグ１５及び平型プラグ１６を接続できるようになっている。また、基板７は、ケース５に収納したとき、接続コネクタ１２が接続されるようになっている。
【００１９】  さて、携帯電話機用接続装置１のオス型コネクタ２を携帯電話機器２０のメス型コネクタに接続すると、接続装置本体３には、アンテナコネクタ１１、接続コネクタ１２、ミニプラグ用コネクタ１４、標準プラグ用コネクタ１５及び平型プラグ用コネクタ１６が設けられているから、電気通信機械器具、電子応用機械器具、電子計算機、又は充電器、外部アンテナ２３及びデジタルデータ機器やアナログ音声機器などの音声機器例えばヘッドフォンの３つの外部機器のうち２つ以上すなわち２つ又は３つを同時に接続することが可能となる。このため、例えば、図２に示すように、外部アンテナ２３の接続用コネクタ２４をアンテナコネクタ１１に接続するとともに、ＡＣアダプター２１の電源用コネクタ２２を接続コネクタ１２に接続し、かつ、ＡＣアダプター２１をコンセント２９に接続することで、携帯電話機２０の送受信の感度を良好にするとともに、携帯電話機２０の充電も行える。
【００２０】  したがって、本実施形態の携帯電話機用接続装置１は、２種以上の外部機器を携帯電話機２０に同時に接続することが可能となる。例えば、漁船などの船舶の船室外で携帯電話機２０を使いたいときの電池切れ、外周の騒音による通信障害、感度不足による携帯電話機２０の使用不可を外部アンテナ、外線マイク、充電を同時に行い全てを解決することができ、かつ、デジタルデーターも同時に送受信できるようになる。
【符号の説明】
【００２１】１  携帯電話機用接続装置
２  オス型コネクタ
３  接続装置本体
４  ケーブル
１１  アンテナコネクタ
１２  接続コネクタ
１４  ミニプラグ用コネクタ
１５  標準プラグ用コネクタ
１６  平型プラグ用コネクタ
２０  携帯電話機器
２１  ＡＣアダプター
２２  電源用コネクタ
２３  外部アンテナ
２４  接続用コネクタ
【図１】
0003175318.tif 000003
【図２】
0003175318.tif 000004